(57)【要約】【課題】繊維補強コンクリートのプレキャスト化製品を製造するに際し、従来、繊維方向を整える工程と養生の工程とを別々のものとして２工程を要したものを１工程にまとめることができて、機械の個数削減を図るとともに製造効率を向上できる。【解決手段】養生装置の養生窯１の外周面に磁場発生手段として電線２をコイル状に巻回し、養生空間内に、型枠内に打設直後の繊維補強コンクリートを設置した後、養生空間内に磁場を発生させ、繊維補強コンクリートの繊維方向を整えるとともに、蒸気養生または加熱養生を行う。【選択図】        図１
2009297933.tif 000002
【特許請求の範囲】
【請求項１】
養生装置の養生空間内に、型枠内に打設直後の繊維補強コンクリートを設置した後、養生空間内に磁場を発生させ、繊維補強コンクリートの繊維方向を整えるとともに、蒸気養生または加熱養生を行うことを特徴とする繊維補強コンクリート部材の製造方法。
【請求項２】
養生装置に、磁場発生手段を付設したことを特徴とする繊維補強コンクリート部材の製造装置。
【請求項３】
前記磁場発生手段は、養生装置の周面にコイル状に巻回した電線である請求項２記載の繊維補強コンクリート部材の製造装置。
【請求項４】
前記磁場発生手段は、養生装置の周面に配設した複数の電磁石である請求項２記載の繊維補強コンクリート部材の製造装置。
【発明の詳細な説明】
【技術分野】
【０００１】
本発明は、繊維補強コンクリート部材の製造方法および製造装置に関するものである。
【背景技術】
【０００２】
コンクリートの引張強度や靭性向上のために例えば細くて短い針金上の鋼繊維を混入させたコンクリートが鉄筋を用いない超高強度鋼繊維補強コンクリートとして、橋梁や床版の部材として近年利用されている。
【０００３】
この繊維補強されたコンクリートの一般的な特徴は、繊維の向き（配列）をコントロールすることによって部材の強度などの特性を最適化することができる。
【０００４】
例えば、断面がＨ型の部材の場合は、フランジは部材の長手軸方向に、ウエブは長手軸方向に対して４５度方向に配向して繊維を並べることによって、不規則に繊維を配向する場合に比較して部材の曲げ性能やせん断性能を格段に向上させることができる。
【０００５】
そこで、コンクリート内の繊維方向を所定の方向に揃えるための手段が必要となるが、かかる手段としては、下記の方法等がある。
（１）コンクリートを打設する際に一方向に流して、流れる方向に揃える。
（２）打設後に櫛でならして櫛を動かす方向に揃える。
（３）心太のように押出して押出す方向に揃える。
（４）回転させながら押出して回転方向に揃える。
（５）回転ローラでならしローラの回転方向に揃える。
（６）力をかけ磁力線の方向に揃える。
などがある。
【０００６】
前記手段のうち、磁力をかける方法については、従来、例えば特許文献１、特許文献２に開示のものがある。
【０００７】
特許文献１に開示の技術は、非磁性体からなる板状型枠内に、磁性体からなる補強用繊維を含有するコンクリートを打設するとともに、該コンクリート中に前記型枠の長手方向に沿う磁界を作用させることにより、前記コンクリート中の補強用繊維を配向させ、その配向状態で前記コンクリートを固化させるものである。
【０００８】
また、特許文献２に記載の技術は、型枠内に繊維補強セメント系混合材料を流し込み、接合端面を形成する型枠の外側に配向装置を配置して接合端面の法線方向に磁力線を発生させるものである。
【特許文献１】特開２０００−８６１３号公報
【特許文献２】特許第３９２５８３７号公報
【発明の開示】
【発明が解決しようとする課題】
【０００９】
前記磁力を利用する方法を採用した場合、いずれも一つの型枠内に打設した鋼繊維補強コンクリート毎に磁力をかけているため、多数のプレキャスト部材を製造するには型枠ごとの作業となって手間を要し、作業性がよくない。
【００１０】
一方、鋼繊維を混入させたＡＬＣパネル・杭等のプレキャストコンクリート部材の製造には、オートクレーブ養生、常圧蒸気養生、加熱養生などの養生が行われるが、このようなプレキャストコンクリート部材の製造に際し、繊維方向を整える工程と養生の工程とは別々のものであったため、必要な機械が多くなり、工程数も増えて、製造効率がよくなかった。
【００１１】
本発明は前記従来例の不都合を解消するものとして、繊維補強コンクリートのプレキャスト化製品を製造するに際し、従来、繊維方向を整える工程と養生の工程とを別々のものとして２工程を要したものを１工程にまとめることができて、機械の個数削減を図るとともに製造効率を向上できる繊維補強コンクリート部材の製造方法および製造装置を提供するものである。
【課題を解決するための手段】
【００１２】
請求項１記載の本発明は、製造方法として、養生装置の養生空間内に、型枠内に打設直後の繊維補強コンクリートを設置した後、養生空間内に磁場を発生させ、繊維補強コンクリートの繊維方向を整えるとともに、蒸気養生または加熱養生を行うことを要旨とするものである。
【００１３】
請求項２記載の本発明は、製造装置として、養生装置に、磁場発生手段を付設したことを要旨とするものである。
【００１４】
請求項３記載の本発明は、前記磁場発生手段は、養生装置の周面にコイル状に巻回した電線であることを要旨とするものである。
【００１５】
請求項５記載の本発明は、前記磁場発生手段は、養生装置の周面に配設した複数の電磁石であることを要旨とするものである。
【００１６】
請求項１、請求項２記載の本発明によれば、養生装置に、磁場発生手段を付設したから、型枠内に打設直後の繊維補強コンクリートを養生装置の養生空間内に設置した後、養生空間内に磁場を発生させれば、繊維補強コンクリートの繊維方向を整えると同時に、蒸気養生または加熱養生を行うことができ、繊維方向を整える工程と養生工程とを同じ装置で同時に行える。
【００１７】
請求項３記載の本発明によれば、養生装置の周面に電線をコイル状に巻回するだけの簡単な装置を付加するだけで、養生を行う際に同時に繊維方向を整えることができる。
【００１８】
請求項４記載の本発明によれば、養生装置の周面に複数の電磁石を配設するだけの簡単な装置を付加するだけで、養生を行う際に同時に繊維方向を整えることができる。
【発明の効果】
【００１９】
以上述べたように本発明の繊維補強コンクリート部材の製造方法および製造装置は、繊維補強コンクリートのプレキャスト化製品を製造するに際し、養生を行う際に、同時に同じ装置で繊維方向を揃えることができるから、従来、繊維方向を整える工程と養生の工程とを別々のものとして２工程を要したものを１工程にまとめることができて、機械の個数削減を図るとともに製造効率を向上できるものである。
【発明を実施するための最良の形態】
【００２０】
以下、図面について本発明の実施形態を詳細に説明する。図１は本発明の繊維補強コンクリート部材の製造装置の第１実施形態を示す斜視図で、図中１はオートクレーブ養生装置などの養生装置の養生窯を示し、これは従来と同様、横長の筒状体であり、内部の養生室に、コンクリートが打設された複数の型枠が収納できるようになっている。
【００２１】
この養生窯１の外周面に、繊維補強コンクリートの繊維方向を揃えるための磁場発生手段として、電線２をコイル状に巻回した。
【００２２】
よって、電線２に通電すれば、養生窯１内の養生室内に強磁場を発生させることができる。
【００２３】
この磁場発生手段を備える養生窯１を使用して繊維補強コンクリートの繊維の配向を整え、また、養生を行うには、図３の工程図に示すように、コンクリートを打設するための型枠を組立て、この中に鉄筋を組込み、打設前検査を行った後、型枠内にコンクリートを打設する。
【００２４】
こうしてコンクリートが打設された型枠を養生窯１へ移動し、養生室内に収納して、コンクリートが固化しないフレッシュコンクリート時に電線２に通電して養生室内に強磁場を発生させる。この場合、養生室内へは複数の型枠を同時に収納する。
【００２５】
この磁場により養生室内に収納されている繊維補強コンクリート内の鋼繊維が一方向に整列し、繊維方向が揃えられる。養生窯１に巻回されている電線２はその長さ方向に磁界を発生させるから、養生窯１内のフレッシュコンクリートの入っている型枠の向きを各々変えることにより、型枠ごとに、すなわち部材ごとに鋼繊維の向きを任意にコントロールすることができる。
【００２６】
続いて養生室内を蒸気養生または加熱養生してコンクリートを促進養生する。
【００２７】
このようにして同じ養生窯１内で前後してほぼ同時に繊維方向が揃えられるとともに、オートクレーブ養生が行われたならば、脱型し、コンクリート部材を取出す。これにより繊維補強コンクリートのプレキャスト化製品が製造できる。この場合、養生室内へは複数の型枠が同時に収納されていたから、複数のプレキャスト製品を一度に製造できる。
【００２８】
図２は、磁場発生手段の第２実施形態を示し、養生窯１の外周面に複数の電磁石３を配設することもできる。この場合も、この電磁石３に通電することで、養生室内に強磁場を発生させる。そして、複数の電磁石３を用いることで、１つの養生窯１において必要な部分のみに必要な磁力を発生させることができるから、異方向と同方向の異なる性状を持つプレキャスト部材を１つの養生窯１で同時に製造できる。
【００２９】
よって、養生室内に収納した型枠内に打設されている繊維補強コンクリートの養生を行えるとともに繊維方向を揃えることができる。
【図面の簡単な説明】
【００３０】
【図１】本発明の繊維補強コンクリート部材の製造方法および製造装置の第１実施形態を示す斜視図である。
【図２】本発明の繊維補強コンクリート部材の製造方法および製造装置の第２実施形態を示す斜視図である。
【図３】本発明の繊維補強コンクリート部材の製造方法を示す工程図である。
【符号の説明】
【００３１】
１  養生窯                      ２  電線
３  電磁石
【図１】
2009297933.tif 000003
【図２】
2009297933.tif 000004
【図３】
2009297933.tif 000005